(57)【要約】【課題】水平同期信号が正常に検出できない場合においても、期待されるスループットと画質を維持することである。【解決手段】走査光検出信号に異常がない場合には走査光検出信号を遅延させた信号を水平同期信号として出力し、走査光検出信号に異常がある場合には予め記憶されている前回の走査光検出信号の走査周期と信号間隔をもとに生成した擬似走査光検出信号を水平同期信号として出力する。【選択図】図１
2005208379.tif 000002
【特許請求の範囲】
【請求項１】
回転多面鏡と、前記回転多面鏡に照射して走査される複数本のレーザ光と、前記レーザ走査光を規定の位置で検出する走査光検出器と、前記走査光検出器の出力する走査光検出信号を監視し走査周期・走査光間隔・信号個数に異常がある場合には走査光異常検出信号を出力する走査光異常検出部と、前記走査光検出器の走査周期と走査光間隔を記憶する記憶手段と、予め記憶されている前回の走査光検出信号の走査周期と信号間隔をもとに擬似走査光検出信号を出力する擬似走査光検出信号生成部と、走査光検出信号に一定の遅延時間を持たせて走査光検出遅延信号を出力する遅延回路から構成し、走査光検出信号から生成する水平同期信号を装置制御の契機とする光走査装置において、
前記遅延時間は走査光検出信号に異常がある場合には走査光異常検出信号が出力される時間以上で定義し、走査光検出信号に異常がない場合には前記走査光検出遅延信号を水平同期信号として出力し、走査光検出信号に異常がある場合には前記擬似走査光検出信号を水平同期信号として出力することを特徴とする光走査装置。
【発明の詳細な説明】
【技術分野】
【０００１】
本発明は，走査光を用いて感光体を走査する光走査装置に関する。
【背景技術】
【０００２】
以下、図面を用いて従来の技術を説明する。
【０００３】
図1は、レーザプリンタや複写機などに代表される電子写真装置に用いられる光走査装置の構成を示している。ｎ個のレーザ光源１０から出射したｎ本のレーザビームは、回転多面鏡２０で反射し、ｆθレンズ３０を通じて感光ドラム４０上を走査しながら照射する。このとき、ドットイメージに変換された文字データや図形データがレーザビームのＯＮ／ＯＦＦ信号となり、感光ドラム４０の表面にレーザビームが照射される部分と照射されない部分とが形成され、いわゆる静電潜像が形成される。走査光検出器５０は、前述感光ドラム４０と光学的に等しい距離で且つ、主走査方向に対し感光ドラム４０より前にレーザビームが照射される位置に設置される。このセンサは、水平同期信号を生成し、走査光が感光ドラム４０上を走査する際にホストコントローラからのドットイメージ送信開始位置を決める。
【０００４】
図２は，レーザ光源が２個（ｎ＝２）の場合における、レーザビームのＯＮ／ＯＦＦ信号と水平同期信号のタイミングチャートを示している。水平同期取り期間において、まずレーザビームのＯＮ／ＯＦＦ信号をＯＮの状態とし、この状態でレーザ光源１０から出射したレーザビームが回転多面鏡２０で反射し、ｆθレンズ３０を通じて走査光検出器５０に入射すると、水平同期信号がレーザビーム１本あたり1回出力され、各水平同期信号に対応するレーザビームのＯＮ／ＯＦＦ信号をＯＦＦする。
【０００５】
以上の構成においては、一回の走査につきｎパルスの水平同期信号が必要であり、水平同期信号がｎパルスに満たない場合や、水平同期信号が規定値と違うタイミングに出力された場合においては、水平同期取り期間の次に続く印刷期間において、レーザビームのＯＮ／ＯＦＦ信号が誤ったタイミンングで出力される為、正確な静電潜像の形成ができない。よって、これらの場合において光走査装置は、特許文献１にあるように警告を発するか、特許文献２にあるように異常を検出した直後に擬似水平同期信号を出力し、動作を継続してきた。
【０００６】
【特許文献１】特開平８−２４４２７４号公報
【０００７】
【特許文献２】特開平９−１８５４号公報
【発明の開示】
【発明が解決しようとする課題】
【０００８】
しかしながら、光走査装置の動作を停止することは装置のスループット低下を招き、また、異常を検出した直後に擬似水平同期信号を出力することはレーザビームのＯＮ／ＯＦＦ信号が期待された位置から離れたタイミンングで出力される為画質の低下を招く。
【０００９】
本発明の目的は、水平同期信号が正常に検出できない場合においても、期待されるスループットと画質を維持することにある。
【課題を解決するための手段】
【００１０】
上記の目的は、回転多面鏡と、前記回転多面鏡に照射して走査される複数本のレーザ光と、前記レーザ走査光を規定の位置で検出する走査光検出器と、前記走査光検出器の出力する走査光検出信号を監視し、走査周期・走査光間隔・信号個数に異常がある場合には走査光異常検出信号を出力する走査光異常検出部と、前記走査光検出器の走査周期と走査光間隔を記憶する記憶手段と、予め記憶されている前回の走査光検出信号の走査周期と信号間隔をもとに擬似走査光検出信号を出力する擬似走査光検出信号生成部と、走査光検出信号に一定の遅延時間を持たせて走査光検出遅延信号を出力する遅延回路から構成し、走査光検出信号から生成する水平同期信号を装置制御の契機とする光走査装置において、
前記遅延時間は走査光検出信号に異常がある場合には走査光異常検出信号が出力される時間以上で定義し、走査光検出信号に異常がない場合には前記走査光検出遅延信号を水平同期信号として出力し、走査光検出信号に異常がある場合には前記擬似走査光検出信号を水平同期信号として出力することにより達成される。
【発明の効果】
【００１１】
水平同期信号が正常に検出できない場合においても、期待されるスループットと画質を維持できる。
【発明を実施するための最良の形態】
【００１２】
以下、本発明の実施例を図面を用いて説明する。
【００１３】
図３は，レーザ光源が2個の場合における本発明の一実施例を示すタイミングチャートである。水平同期取り期間において、まずレーザビームのＯＮ／ＯＦＦ信号をＯＮの状態とし、この状態でレーザ光源１０から出射したレーザビームが回転多面鏡２０で反射し、ｆθレンズ３０を通じて走査光検出器５０に入射すると、各走査光検出信号に対応するレーザビームのＯＮ／ＯＦＦ信号をＯＦＦし、レーザビーム１本あたり1回の水平同期信号をｔ０遅れて出力する。ここで、ｔ０は走査光検出信号に異常がある場合には走査光異常検出信号が出力される時間より長い時間で定義する。このとき、レーザビーム１に対する走査光検出信号の周期ｔ１ｍと、レーザビームｎ−１に対する走査光検出信号とレーザビームｎに対する走査光検出信号の時間差ｔ２ｍを記憶する。次に、この状態で走査光検出信号の異常を検出した場合、水平同期信号は前回の水平同期信号からｔ２(ｍ−２)遅れて出力し、ｔ１（ｍ−１）の周期で水平同期信号をレーザ光源の個数だけ出力する。
【００１４】
図４は、本発明の一実施例を示すブロック図である。走査光が走査光検出器上を走査し、走査光検出信号が出力されると、遅延回路が一定時間の遅延を持たせてセレクタへ送信する。遅延時間は走査光検出器の出力の異常を検出するのに必要な時間より長い時間で定義する。また、走査光検出周期記憶部は走査光検出信号の周期と間隔を記憶し、擬似走査光検出信号生成部は記憶された時間を使用して擬似走査光検出信号を出力する。ここで、走査光異常検出部は走査光検出信号を監視し、走査周期・走査光間隔・信号個数に異常がある場合には走査光検出異常検出信号を出力し、走査光検出異常信号が出力されると、擬似走査光検出信号生成部はそのラスタにおける走査光検出信号の周期と間隔を記憶せず、前回の周期と間隔を用いた擬似走査光検出信号を生成する。セレクタは、走査光検出信号に異常がない場合には前述の遅延を持たせた走査光検出信号を水平同期信号として出力し、走査光検出信号に異常がある場合には擬似走査光検出信号を水平同期信号として出力する。
【００１５】
本発明を用いることで、水平同期信号に異常が生じた場合においても装置の動作を停止させることなく、装置が期待する動作を実現できる。
【図面の簡単な説明】
【００１６】
【図１】光走査装置の概略構成図である。
【図２】従来技術を示すタイミングチャートである。
【図３】本発明の一実施例を示すタイミングチャートである。
【図４】本発明の一実施例を示すブロック図である。
【符号の説明】
【００１７】
１０…レーザ光源、２０…回転多面鏡、３０…Fθレンズ、４０…感光ドラム、５０…走査光検出センサである。
【図１】
2005208379.tif 000003
【図２】
2005208379.tif 000004
【図３】
2005208379.tif 000005
【図４】
2005208379.tif 000006